(57)【要約】【課題】  医用情報が記録される可搬媒体の種類に応じて、被検者を特定可能な個人情報を含めた記録と、あるいは被検者を特定不可能なように個人情報を隠蔽した記録とを、操作者による操作を変えることなく、安全かつ容易に実施可能とする。【解決手段】  医用情報を保存する記憶装置と、可搬媒体に医用情報を記録又は可搬媒体に記録された医用情報を読み込むドライブと、医用情報の管理を制御するコンピュータと、を備え、可搬媒体にはその種類を表すタグ又は情報が付加され、コンピュータは、可搬媒体の種類に応じて、可搬媒体に入出力する医用情報の種類を選択する。【選択図】      図1
2010097422.tif 000002
【特許請求の範囲】
【請求項１】
医用情報を保存する記憶装置と、可搬媒体に医用情報を記録又は可搬媒体に記録された医用情報を読み込むドライブと、医用情報の管理を制御するコンピュータと、を備えた医用情報管理装置であって、
前記可搬媒体にはその種類を表すタグ又は情報が付加され、
前記コンピュータは、前記可搬媒体の種類に応じて、該可搬媒体に入出力する医用情報の種類を選択することを特徴とする医用情報管理装置。
【発明の詳細な説明】
【技術分野】
【０００１】
医用情報管理装置に係り、特に、医用情報を可搬媒体に入出力する機能に関する。
【背景技術】
【０００２】
被検者を特定可能な個人情報を含む医用情報を外部に出力する際には、個人情報が漏洩しないように安全に行われている(例えば特許文献1)。
【０００３】
しかし、医用情報が保存された医用情報管理装置に可搬媒体が挿入されて、その媒体に医用情報が記録されて、自由に医用情報を持ち出すことが可能となっている。その場合には、個人情報の漏洩を防止して安全に医用情報を管理するために、医用情報管理装置に保存された医用情報を可搬媒体に記録する際、その可搬媒体の用途に応じて、被検者を特定可能な個人情報を含めて記録するか、あるいは被検者を特定不可能なように個人情報を隠蔽して記録するかを選択する必要がある。
【０００４】
従来は、医用情報管理装置の操作者が判断して可搬媒体への医用情報の種類を選択して記録を行っていた。
【０００５】
【特許文献１】特開2005-184731号公報
【発明の開示】
【発明が解決しようとする課題】
【０００６】
しかし、可搬媒体の種類に応じて、個人情報を記録するか否かを判断するのは、操作者の負担となっていた。
【０００７】
そこで、本発明は、医用情報が記録される可搬媒体の種類に応じて、被検者を特定可能な個人情報を含めた記録と、あるいは被検者を特定不可能なように個人情報を隠蔽した記録とを、操作者による操作を変えることなく、安全かつ容易に実施可能な医用情報管理装置を提供することを目的とする。
【課題を解決するための手段】
【０００８】
上記目的を達成するために、本発明の医用情報管理装置は、医用情報を保存する記憶装置と、可搬媒体に医用情報を記録又は可搬媒体に記録された医用情報を読み込むドライブと、医用情報の管理を制御するコンピュータと、を備え、可搬媒体にはその種類を表すタグ又は情報が付加され、コンピュータは、可搬媒体の種類に応じて、可搬媒体に入出力する医用情報の種類を選択することを特徴とする。
【発明の効果】
【０００９】
本発明の医用情報管理装置によれば、医用情報が記録される可搬媒体の種類に応じて、被検者を特定可能な個人情報を含めた記録と、あるいは被検者を特定不可能なように個人情報を隠蔽した記録とを、操作者による操作を変えることなく、安全かつ容易に実施可能となる。
【発明を実施するための最良の形態】
【００１０】
以下、添付図面に従って本発明の医用情報管理装置の好ましい実施形態について詳説する。なお、発明の実施形態を説明するための全図において、同一機能を有するものは同一符号を付け、その繰り返しの説明は省略する。
【００１１】
最初に、本発明に係る医用情報管理装置の一例の全体概要を図1に基づいて説明する。図1は、本発明に係る医用情報管理装置の一実施例の全体構成を示す図である。この医用情報管理装置は、コンピュータ102と操作卓106とを備えて成り、コンピュータ102は、医用情報が保存された記憶装置104と、可搬媒体101に医用情報を読み書きできるドライブ103とを備え、操作卓106は、コンピュータ102に接続されて医用情報を表示するディスプレイ105と、コンピュータ102に接続されたキーボードやマウス等の操作部107と、を備えている。可搬媒体101とは、例えば、磁気ディスク、CD、DVD、磁気テープ等の、操作者が個別に持ち運び可能な媒体である。
【００１２】
操作者108により操作部107を介してコンピュータ102に入力された制御情報に基づいて、コンピュータ102は、記憶装置104に記録された医用情報を可搬媒体101に記録したり、或いは、可搬媒体101に記録された医用情報を読み出してディスプレイ105に表示したり、記憶装置104に保存する。なお、コンピュータ102は、X線撮像装置、X線CT装置、磁気共鳴撮像装置、超音波診断装置、等の画像診断装置であってもよいし、これらの画像診断装置に接続されて医用画像含む医用情報の送受信を行うコンピュータであっても良い。
【００１３】
ここで、被検者を特定可能な個人情報の例として、被検者のID番号、被検者氏名、被検者生年月日、被検者性別、被検者住所、被検者連絡先電話番号、被検者親族氏名等が考えられ、医用情報がこれらの項目の少なくも1つを含むものとする。特に医用情報が医用画像であれば、被検者を特定可能な個人情報が画像として医用画像の特定の領域に埋め込まれる場合、個人情報を削除するには、この個人情報が記録された画像領域を、例えば他の値で置き換えれば良い。また個人情報を隠蔽するには、この個人情報が記録された画像領域を、オーバーレイで覆い隠せば良い。
【００１４】
(第１の実施形態)
本発明の医用情報管理装置の第1の実施形態を説明する。本実施形態は、可搬媒体に、その媒体の種類を特定可能なタグ又は情報を付加し、医用情報管理装置がその可搬媒体に医用情報を記録する際に、タグ情報を読み取って可搬媒体の種類を判定し、種類に応じて個人情報を隠蔽するか否かを判定し、その判定結果に基づいて記録すべき医用情報を選別して記録する。以下、図1と図2に基づいて本実施形態を詳細に説明する。
【００１５】
可搬媒体101には、図1に示すように、例えばその片隅に媒体の種類を表すタグ110を付加する。例えば、被検者を特定可能な個人情報を記録可能な媒体であれば赤色のタグを、個人情報が隠蔽又は削除されて記録される媒体であれば青色のタグを、付加しておく。この場合には、コンピュータ102は、このタグの色を読み取り可能なセンサ(図示せず)を備え、可搬媒体101がコンピュータ102のドライブ103に挿入される際に、センサが可搬媒体101のタグ110を読み取り、コンピュータ102が、読み取られたタグ情報に基づいて、可搬媒体101の種類を判定する。なお、タグ110は、色で媒体の種類を表すものではなく、形等の他の識別可能な形態で、媒体の種類を表すものであっても良い。
【００１６】
或いは、可搬媒体101にその媒体の種類を表すデジタル情報を記録しておき、可搬媒体101がコンピュータ102のドライブ103に挿入されたときに、ドライブ103がそのデジタル情報を読み取り、コンピュータ102が、読み取られたタデジタル情報に基づいて、可搬媒体101の種類を判別してもよい。なお、媒体の種類を表すデジタル情報は、例えば、媒体をフォーマットする際に、媒体の特定の箇所に自動的に記録されるようにしても良い。
【００１７】
以上の様にして、コンピュータ102が、可搬媒体101の種類を判定すると、その判定結果をディスプレイ105に表示して、操作者に媒体の種類を知らせてもよい。
【００１８】
次に、可搬媒体101の種類が判定された状態で、操作者108が、ドライブ103に挿入された可搬媒体101に医用情報を記録することを、操作部107を介してコンピュータ102に指示した場合には、コンピュータ102は、判定した可搬媒体101の種類に応じて、可搬媒体101に記録する医用情報を選択して記録する。具体的には、可搬媒体101が被検者を特定可能な個人情報を記録可能な媒体であれば、コンピュータ102は、記憶装置104に記録された医用情報を、個人情報を含めてそのまま媒体に保存する。他方、可搬媒体101が被検者を特定可能な個人情報が隠蔽又は削除されて記録される媒体であれば、コンピュータ102は、記憶装置104に記録された医用情報の内で、被検者を特定可能な個人情報を隠蔽又は削除処理を行って、処理済みの医用情報を媒体に記録する。
【００１９】
また、可搬媒体101に記録された医用情報を読み取る場合には、可搬媒体101の種類に応じて、読み込む医用情報の内容を制御したり、操作者108にアラームを発したりする。具体的には、可搬媒体101が被検者を特定可能な個人情報を記録可能な媒体であれば、コンピュータ102は、媒体に記録された医用情報を、被検者を特定可能な個人情報も含めて、読み込む。他方、可搬媒体101が被検者を特定可能な個人情報が隠蔽又は削除されて記録される媒体であれば、コンピュータ102は、媒体に記録された医用情報の中に被検者を特定可能な個人情報が含まれているか否か確認し、含まれていれば操作者108にアラームを発し、読み込み処理を中止して、いかなる医用情報も読み込まず、内部の記憶装置104等に医用情報を保存すぜ、ディスプレイ105に表示しないようにする。含まれていなければ、媒体に記録された医用情報を読み込んで、ディスプレイ105に表示したり、記憶装置104に記録したりする。
【００２０】
医用情報として医用画像を含む場合には、図2に示すように、医用画像201の所定の領域に、被検者を特定可能な個人情報が画像202として埋め込まれている場合がある。このような場合には、個人情報を表す画像202を隠蔽ように、予め保存されたオーバーレイ情報203を、医用画像(201)に重ね合わせ(204)て、個人情報を表す画像202を塗りつぶすことで、医用画像中の被検者を特定可能な個人情報を隠蔽することができる。
【００２１】
以上までが本実施形態の医用情報管理装置の説明である。本実施形態の医用情報管理装置によれば、操作者が意識することなく、そして、操作者の操作を変更することなく、安全かつ容易に医用情報を可搬媒体に記録したり、或いは、可搬媒体から医用情報を読み込んだりすることができるようになる。
【００２２】
(第２の実施形態)
本発明の医用情報管理装置の第2の実施形態を説明する。本実施形態は、可搬媒体の入出を管理し、可搬媒体の種類に応じて、入出管理のレベルを制御する。以下、図3に基づいて本実施形態を詳細に説明する。
【００２３】
図3は、本実施形態の一例の構成を表し、可搬媒体101を保管する棚302を備えた保管施設301の出入り口に、可搬媒体に付加されたタグを読み取るセンサ303を配置し、そのセンサの出力がコンピュータ102に接続されている。本実施形態におけるタグは、例えば、小型の無線ICチップが好ましく、媒体の種類情報が記録された無線ICチップを付加された可搬媒体がセンサ303を通過する際に、センサ303と無線ICチップとの間で、空間を介して電磁的な情報交換が瞬間的に行われる。これにより、可搬媒体101が保管施設301の出入り口に配置されたセンサ303を通過する際に、このセンサ303を介して、コンピュータ102は、媒体の種類を含めた特定を行うことができる。
【００２４】
媒体を特定したコンピュータ102は、その通過方向に応じた媒体の入出情報を含めて、どの媒体が保管施設301から出たのか或いは戻ってきたのかをコンピュータ102内の記憶装置104に記録するとともに、媒体の種類に応じた入出管理レベルで管理処理を行う。可搬媒体102の種類に応じた入出管理レベル情報は、予め記憶装置104等に記憶されており、コンピュータ102がその入出管理レベル情報に基づいて、媒体毎に管理処理を行う。
【００２５】
具体的には、可搬媒体101が、被検者を特定可能な個人情報を含む媒体であれば、その媒体が保管施設301から出て行く際に、コンピュータ102はディスプレイ105にアラームを表示して管理者に注意喚起する。さらに、管理者が、そのような媒体を持ち出そうとする人を特定可能な情報を入力できるようにし、コンピュータ102は入力された情報を記録・管理し、その後の追跡を容易にできるようにしても良い。他方、可搬媒体101が被検者を特定可能な個人情報が隠蔽又は削除されて記録された媒体であれば、その媒体が保管施設301に入出する際には、コンピュータ102は、その情報のみを記憶装置に記録するだけでよい。
【００２６】
以上までが本実施形態の医用情報管理装置の説明である。本実施形態の医用情報管理装置によれば、可搬媒体の保管施設の管理者が、特に意識することなく、安全且つ容易に可搬媒体の保管施設への入出を管理することが可能になる。
【００２７】
以上までが、本発明の医用情報管理装置の各実施形態の説明である。しかし、本発明の医用情報管理装置は、上記実施形態の説明で開示された内容にとどまらず、本発明の趣旨を踏まえた上で他の形態を取り得る。
【００２８】
例えば、可搬媒体ではなく、医用情報管理装置の外部装置に医用情報を記録する際に、その外部装置に種類情報を保存しておき、その種類情報に基づいて、医用情報管理装置から外部装置に送出する医用情報を選別するようにしても良い。その際、個人情報を隠蔽するように設定された外部装置に対しては、本発明の医用情報管理装置は、医用情報から被検者を特定可能な個人情報が隠蔽又は削除されていない状態では、その医用情報を送出しないようにする。
【図面の簡単な説明】
【００２９】
【図１】媒体毎に個人情報を隠蔽して保存するか機能の概要を示す図。
【図２】画像として個人情報が含まれている場合の隠蔽方法の概要を示す図。
【図３】個人情報が含まれた媒体を保管する施設における媒体管理方法の概要を示す図。
【符号の説明】
【００３０】
101  可搬媒体、102  コンピュータ、103  ドライブ、104  記憶装置、105  ディスプレイ、106  操作卓、107  操作部、108  操作者、110  タグ。
【図１】
2010097422.tif 000003
【図２】
2010097422.tif 000004
【図３】
2010097422.tif 000005